(57)【要約】【課題】他端に工具類を結合されたセーフティコード５の一端が引掛けられるセーフティコード取付金具１において、工具類の落下防止の装備であるセーフティコード取付金具１に胴綱を結合できないようにすることにより、故意又は過失によりセーフティコード取付金具１に胴綱のフックを引掛けて使用してしまうことを防止する。【解決手段】セーフティコード取付金具１は、作業者の腰部に巻き付けられた安全帯に結合される結合部と、該結合部と一体に設けられ、セーフティコード５の一端のナスカン５０のフック部５１が引掛けられる棒状体２０と、棒状体２０にナスカン５０のフック部５１よりも大きな胴綱のフックを引掛けるのを阻止するように棒状体２０の周りに設けられ、棒状体２０に接近する胴綱のフックと干渉する箱体３０とを備える。【選択図】図１
2013173211.tif 000002
【特許請求の範囲】
【請求項１】
他端に工具類を結合されたセーフティコードの一端が引掛けられるセーフティコード取付金具であって、
作業者の腰部に巻き付けられた安全帯に結合される結合部と、
該結合部と一体に設けられ、前記セーフティコードの一端が引掛けられる引掛部と、
前記引掛部に前記セーフティコードの一端よりも大きな胴綱のフックを引掛けるのを阻止するように前記引掛部の周りに設けられ、前記引掛部に接近する胴綱のフックと干渉する干渉部と
を備えることを特徴とするセーフティコード取付金具。
【請求項２】
請求項１において、
前記引掛部は棒状体から成り、
前記セーフティコードの一端に、前記棒状体に引掛けられるＪ型フックが備えられ、該Ｊ型フックが前記棒状体に引掛けられる際に棒状体を引掛位置へ向けて挿通させるＪ型フックの開放部に、棒状体が引掛位置へ向けてＪ型フックに接近する方向へ移動することは許容し、反対方向への移動は阻止するゲート片を前記Ｊ型フックが備えるとき、
前記干渉部は、前記Ｊ型フックが前記棒状体に引掛けられた状態で、前記Ｊ型フックの棒状体を中心とした揺動により前記ゲート片と干渉しない位置に配置されている
ことを特徴とするセーフティコード取付金具。
【発明の詳細な説明】
【技術分野】
【０００１】
本発明は、主に高所作業者の腰部に付けて用いられ、他端に工具類を結合されたセーフティコードの一端が引掛けられるセーフティコード取付金具に関する。
【背景技術】
【０００２】
高所で電気工事などの作業を行う作業者は、作業者自身の落下事故の防止と、作業時に使用する工具類の落下防止とを図るための装備を備えている。作業者自身の落下事故防止の装備としては、作業者の腰部にベルト状の安全帯を巻き付け、この安全帯に所謂Ｄ環を取り付けて、このＤ環に作業対象の構造物に結合された胴綱のフックを引掛けている。これにより作業者が誤って落下したとき、胴綱によって作業者自身を支持するようにしている。また、工具類の落下防止の装備としては、上記安全帯にＤ環と同様の金具を取り付け、この金具にリングを介して他端が工具類に結合されたセーフティコードを引掛けている。これにより作業者が誤って工具類を落としたとき、セーフティコードによって工具類を支持するようにしている。
下記特許文献１には、工具類の落下防止の装備が開示されている。
作業者自身の落下防止のための装備は、人間の体重を支えるのに充分な強度を備えているのに対し、工具類の落下防止の装備は、人間の体重より軽い工具類を支えるだけの強度しか備えていない。
【先行技術文献】
【特許文献】
【０００３】
【特許文献１】実開平５−４９２７２号公報
【発明の概要】
【発明が解決しようとする課題】
【０００４】
以上のように、作業者は一つの安全帯にＤ環と金具とを同時に取り付けて作業をしているため、故意又は過失により工具類の落下防止の装備である金具に作業者自身の落下防止のための装備である胴綱のフックを引掛けて使用してしまう可能性がある。そこで、このように間違いを犯しても、作業者自身の落下防止の機能が損なわれないように上記金具の強度をＤ環と同様の強度まで高めることが考えられる。しかし、そのように強度を高めると、金具の重量が大きくなってしまう問題がある。即ち、金具は、本来、工具類を支持する強度を備えれば済むのに対して、人体をも支持可能とするためには大幅に強度を高める必要があり、それに伴って部材の板厚を厚くするなどにより重量も大きくなってしまう。かかる金具は作業者が作業中に腰部に付けるものであるため、金具の重量の増加は作業者の作業負担を増大させることになる。
このような問題に鑑み本発明の課題は、工具類の落下防止の装備である金具に胴綱を結合できないようにすることにより、故意又は過失により金具に胴綱のフックを引掛けて使用してしまうことを防止することにある。
【課題を解決するための手段】
【０００５】
本発明の第１発明は、他端に工具類を結合されたセーフティコードの一端が引掛けられるセーフティコード取付金具であって、作業者の腰部に巻き付けられた安全帯に結合される結合部と、該結合部と一体に設けられ、前記セーフティコードの一端が引掛けられる引掛部と、前記引掛部に前記セーフティコードの一端よりも大きな胴綱のフックを引掛けるのを阻止するように前記引掛部の周りに設けられ、前記引掛部に接近する胴綱のフックと干渉する干渉部とを備えることを特徴とする。
第１発明によれば、本来、セーフティコードの一端が引掛けられる引掛部に胴綱のフックを引掛けるのを阻止する干渉部を備えるため、故意又は過失により胴綱のフックを引掛部に引掛けてしまうことを防止することができる。
【０００６】
本発明の第２発明は、上記第１発明において、前記引掛部は棒状体から成り、前記セーフティコードの一端に、前記棒状体に引掛けられるＪ型フックが備えられ、該Ｊ型フックが前記棒状体に引掛けられる際に棒状体を引掛位置へ向けて挿通させるＪ型フックの開放部に、棒状体が引掛位置へ向けてＪ型フックに接近する方向へ移動することは許容し、反対方向への移動は阻止するゲート片を前記Ｊ型フックが備えるとき、前記干渉部は、前記Ｊ型フックが前記棒状体に引掛けられた状態で、前記Ｊ型フックの棒状体を中心とした揺動により前記ゲート片と干渉しない位置に配置されていることを特徴とする。
第２発明によれば、引掛部を成す棒状体に引掛けられたＪ型フックが、使用中に棒状体を中心に揺動しても、Ｊ型フックのゲート片は干渉部と干渉しない。そのため、Ｊ型フックの揺動によりゲート片がＪ型フックの開放部を開いてしまうことはなく、不用意にＪ型フックが棒状体から外れてしまうことを抑制することができる。
【図面の簡単な説明】
【０００７】
【図１】本発明の一実施形態の正面図である。
【図２】上記実施形態の側面図である。
【図３】上記実施形態の背面図である。
【図４】上記実施形態のセーフティコード取付金具にセーフティコードを引掛けた状態を示す斜視図である。
【図５】上記実施形態の使用例を示す説明図である。
【発明を実施するための形態】
【０００８】
図１〜３は、本発明の一実施形態を示しており、セーフティコード取付金具１の結合部を成す環状体１０は、作業者の腰部に巻き付けられるベルト状の安全帯７（図５参照）の断面形状に沿うように環状に形成されている。この場合、安全帯７の断面形状は、上下方向に長い長方形であるため、環状体１０も、図２に示されるように、側面視で、環状内に安全帯７が収まるような長方形に板体を折り曲げて、或いは複数の板体を接合して形成されている。
環状体１０の下側で、且つ作業者が安全帯７によってセーフティコード取付金具１を自身の腰部に装着したとき、内側となる位置、つまり作業者自身の体に近い側となる位置には、引掛用板体２１が環状体１０と一体に設けられている。この場合、引掛用板体２１は、環状体１０と同一の板体によって構成されても良いし、環状体１０の板体とは別の板体を接合しても良い。
ここでは、引掛用板体２１の中央上部に上下方向に並べて２つの貫通孔２２（図２、３参照）が穿設されており、この貫通孔２２を通して各貫通孔２２に２個づつ、合計４個のリング（不図示）が結合可能とされている。
【０００９】
環状体１０及び引掛用板体２１の正面側には引掛部を成す棒状体２０が設けられている。棒状体２０は上下に一対設けられ、環状体１０及び引掛用板体２１の各正面側に立設されている。棒状体２０の数は１本のみでも良いし、３本以上でも良い。棒状体２０の周りは干渉部を成す６面体の箱体３０で覆われている。各棒状体２０の一端は環状体１０及び引掛用板体２１の表面に、他端は箱体３０の内面に、それぞれ溶接固定されている。箱体３０は、一面を除いて各面が閉じられ、一つの開放面が図１で右側、図２で紙面手前側、図３で左側とされている。各棒状体２０は、図１から判るように箱体３０の開放面側に偏倚して位置されている。これは棒状体２０と箱体３０を成す面との間（開放面と対向する面）に所定のスペースを確保するためである。
なお、箱体３０は、開放面と対向する閉鎖面も開放面とすることもできる。その場合には、各棒状体２０に対して２つの開放面からアクセス可能となるが、箱体３０の強度が低下する問題を別途解決する必要がある。また、開放面を対向する閉鎖面と入れ替えることもできる。その場合には、各棒状体２０に対するアクセスの方向を左右で入れ替えることができる。例えば、作業者の利き腕の違いにより好みの側に開放面を備えたセーフティコード取付金具を選択して利用することができる。
棒状体２０の長さ、箱体３０の各部寸法は、セーフティコード５の一端に設けられるナスカン５０のフック部５１（本発明におけるＪ型フックに相当）と、胴綱９に結合されたフック９１（図５参照）の大きさによって決まる。即ち、ナスカン５０のフック部５１は、箱体３０内に挿入して棒状体２０に引掛けることができるが、胴綱９に結合されたフック９１は、箱体３０内に挿入することはできず、棒状体２０に引掛けられないように設定されている。つまり、図５から明らかなように、フック９１はナスカン５０のフック部５１に比べて形状が大きいため、フック９１を棒状体２０に引掛けようとしても箱体３０と干渉してしまい、引掛けることができない。例えば、フック９１の先端を箱体３０の中に挿入して棒状体２０に引掛けようとしてもフック９１は箱体３０内の上記所定スペースに比べてフック９１の形状が大きくて中に入ることができない。
【００１０】
ナスカン５０のフック部５１には、一般的にＪ形状のフック部５１の開放部を閉じるようにゲート片５２が設けられ、棒状体２０に引掛けられたナスカン５０のフック部５１が容易に外れないようにしている。ゲート片５２はばね材から成り、ナスカン５０のフック部５１を棒状体２０に引掛ける際はフック部５１に接近移動する棒状体２０によって押されて棒状体２０がフック部５１内に入るようにナスカン５０の基部５３側を中心として変形され、棒状体２０がフック部５１内に入り、フック部５１が棒状体２０に引掛けられた状態では、ゲート片５２は元に戻ってゲート片５２の基部５３から遠い側端がフック部５１の先端に当接して棒状体２０がフック部５１から外れないようにしている。
ナスカン５０のフック部５１は棒状体２０に引掛けられた状態で、棒状体２０を中心にして揺動可能となる。このように揺動したとき、ゲート片５２が箱体３０の一部に干渉すると、箱体３０によりゲート片５２が押されて、ゲート片５２が棒状体２０によって押されたときと同様に変形する可能性がある。そのようにゲート片５２が変形すると、ナスカン５０のフック部５１から棒状体２０が外れてしまう可能性がある。そのため、上述のようにナスカン５０のフック部５１が揺動してもゲート片５２が箱体３０の何処にも干渉しないように、各部の寸法や配置が設定されている。
【００１１】
引掛用板体２１の棒状体２０が溶接された側の板は側方に延出されてカバー体４とされている。カバー体４は、図５のようにセーフティコード取付金具１が安全帯７に結合された状態で引掛用板体２１に固定されたリング（不図示）を外側からカバーして隠し、リングに対してセーフティコード５の一端に設けられたナスカン５０のフック部５１は引掛けることができても、胴綱９に結合されたフック９１は引掛けられないようにしている。つまり、リングはカバー体４により覆われているため、比較的小さなナスカン５０のフック部５１はカバー体４と作業者の体との間の隙間を通して引掛けることができるが、ナスカン５０のフック部５１に比べて大型のフック９１は上記隙間を通ることが困難でリングに引掛けることができない。
【００１２】
なお、セーフティコード取付金具１は、安全帯７によって作業者の腰部に装着されるとき、カバー体４が本来の目的を達成するために、カバー体４が引掛用板体２１より外側に位置するようにされる必要がある。また、引掛部を成す棒状体２０が環状体１０より外側に位置するようにされる必要がある。そこで、図３に示されるように、環状体１０をなす板面の作業者の腰部への装着時内側となる側には、「この面を内側にして使用してください。」の表示が施されている。また、図５に示されるように、セーフティコード取付金具１を作業者の腰部へ装着したとき外側となる箱体３０の板面の外側面には、「安全第一」の表示と緑十字のマークとを組合わせたものが表示されている。このような表示を施すことにより、安全帯７に対してセーフティコード取付金具１を結合するとき、セーフティコード取付金具１が正しい向きに装着されるようにしている。
【００１３】
図４には、棒状体２０にセーフティコード５の一端に設けられたナスカン５０のフック部５１が引掛けられている様子が、セーフティコード取付金具１を正面側から見た状態で示されている。ここではセーフティコード５を１本だけ引掛けているが、当然ながら棒状体２０の数（２個）だけセーフティコード５を引掛けることができる。
図５には、安全帯７に本発明のセーフティコード取付金具１を取り付けた様子を示している。安全帯７に結合されたセーフティコード取付金具１に図４に基づいて説明したようにセーフティコード５の一端のナスカン５０のフック部５１を引掛け、セーフティコード５の他端に備えるナスカン５４に工具６２を結合することにより、高所作業中、工具を誤って落としてしまったとき、その工具６２がセーフティコード５及びセーフティコード取付金具１を介して安全帯７に支持され、地上に落下してしまうことを防止することができる。
図５において、６１は工具６２を作業者の腰部に保持するための工具入れ用鞘であり、その上部で安全帯７に結合されている。また、８は安全帯７に結合されたＤ環である。
【００１４】
上記実施形態によれば、棒状体２０の周りに胴綱９のフック９１を引掛けるのを阻止する箱体３０を備えるため、故意又は過失により胴綱９のフック９１を棒状体２０に引掛けてしまうことを防止することができる。
また、棒状体２０に引掛けられたナスカン５０のフック部５１が、使用中に棒状体２０を中心に揺動しても、ナスカン５０のフック部５１のゲート片５２は箱体３０と干渉しない。そのため、ナスカン５０のフック部５１の揺動によりゲート片５２がナスカン５０のフック部５１の開放部を開いてしまうことはなく、不用意にナスカン５０のフック部５１が棒状体２０から外れてしまうことを抑制することができる。
【００１５】
本発明は、上記実施形態で説明した外観、構成に限定されず、本発明の要旨を変更しない範囲で種々の変更、追加、削除が可能である。例えば、セーフティコード取付金具が結合される安全帯は、専用のものでなく、一般的なベルトであっても良い。
【符号の説明】
【００１６】
１    セーフティコード取付金具
１０  環状体（結合部）
２０  棒状体（引掛部）
２１  引掛用板体
３０  箱体（干渉部）
５    セーフティコード
５０  ナスカン
５１  Ｊ型フック
５２  ゲート片
７    安全帯
８    Ｄ環
９    胴綱
９１  フック
【図１】
2013173211.tif 000003
【図２】
2013173211.tif 000004
【図３】
2013173211.tif 000005
【図４】
2013173211.tif 000006
【図５】
2013173211.tif 000007